(57)【特許請求の範囲】
【請求項１】
太陽電池モジュールから受信する発電現在値を、前記発電現在値の積算値を用いて補正するデータ補正手段と、
前記発電現在値の履歴または前記積算値の履歴の少なくとも片方を格納するデータ記憶手段を備え、
前記データ補正手段は、前記発電現在値または前記積算値の少なくとも片方を取得可能であり、
前記発電現在値および前記積算値を取得した場合、前記データ記憶手段に格納される前記積算値の履歴を基に前記積算値の所定期間の平均値を前記発電現在値として算出し、
前記発電現在値を取得し前記積算値を取得しない場合、前記発電現在値の補正を行う
計測装置。
【請求項２】
前記データ補正手段は、前記発電現在値の補正において、
取得する前記発電現在値が変化許容の基準の範囲内である場合、取得した前記発電現在値を用いて外部に出力する値を計算し、
取得する前記発電現在値が変化許容の基準の範囲外である場合、前記データ記憶手段に格納される前回取得した発電現在値を用いて外部に出力する値を計算する
請求項１に記載の計測装置。
【請求項３】
前記データ補正手段は、前記発電現在値を取得しないが前記積算値を取得した場合、取得した前記積算値を用いて外部に出力する値を計算する
請求項１又は２に記載の計測装置。
【請求項４】
前記発電現在値および前記積算値を算出し、それら算出した値を前記計測装置に送信する電力変換装置と、
前記請求項１乃至３のいずれかに記載の計測装置
とを備える、太陽光発電システム。
【請求項５】
太陽電池モジュールから受信する発電現在値を、前記発電現在値の積算値を用いて補正することを備え、
当該補正することは、
前記発電現在値または前記積算値の少なくとも片方を取得し、
前記発電現在値および前記積算値を取得した場合、前記発電現在値の履歴または前記積算値の履歴の少なくとも片方を格納するデータ記憶手段に格納される前記積算値の履歴を基に前記積算値の所定期間の平均値を前記発電現在値として算出し、
前記発電現在値を取得し前記積算値を取得しない場合、前記発電現在値の補正を行う
ことを備える太陽光発電計測方法。
【請求項６】
前記補正することは、前記発電現在値の補正において、
取得する前記発電現在値が変化許容の基準の範囲内である場合、取得した前記発電現在値を用いて外部に出力する値を計算し、
取得する前記発電現在値が変化許容の基準の範囲外である場合、前記データ記憶手段に格納される前回取得した発電現在値を用いて外部に出力する値を計算する
ことを備える請求項５に記載の太陽光発電計測方法。
【請求項７】
前記補正することにおいて、前記発電現在値を取得しないが前記積算値を取得した場合、取得した前記積算値を用いて外部に出力する値を計算する
請求項５又は６に記載の太陽光発電計測方法。
【請求項８】
太陽電池モジュールから受信する発電現在値を、前記発電現在値の積算値を用いて補正することを備え、
当該補正することは、
前記発電現在値または前記積算値の少なくとも片方を取得し、
前記発電現在値および前記積算値を取得した場合、前記発電現在値の履歴または前記積算値の履歴の少なくとも片方を格納するデータ記憶手段に格納される前記積算値の履歴を基に前記積算値の所定期間の平均値を前記発電現在値として算出し、
前記発電現在値を取得し前記積算値を取得しない場合、前記発電現在値の補正を行う
ことをコンピュータに実現させる太陽光発電計測プログラム。
【請求項９】
前記補正することは、前記発電現在値の補正において、
取得する前記発電現在値が変化許容の基準の範囲内である場合、取得した前記発電現在値を用いて外部に出力する値を計算し、
取得する前記発電現在値が変化許容の基準の範囲外である場合、前記データ記憶手段に格納される前回取得した発電現在値を用いて外部に出力する値を計算する
ことを更に備える請求項８に記載の太陽光発電計測プログラム。
【請求項１０】
前記補正することは、前記発電現在値を取得しないが前記積算値を取得した場合、取得した前記積算値を用いて外部に出力する値を計算する
ことを更に備える請求項８又は９に記載の太陽光発電計測プログラム。
【発明の詳細な説明】
【技術分野】
【０００１】
本発明は、太陽光発電システムにおいて発電量を計測する計測装置等に関する。
【背景技術】
【０００２】
環境・エネルギー問題で深刻化する現在、省エネルギーに対する取り組みが注目されている。これに伴い、一般家庭でのこの問題に対する具体的な取り組みとして、家庭への太陽光発電システムの導入が進められている。太陽光発電システムにおいては、一般的に、家屋の屋根の架台上に太陽電池モジュールを取り付けて、その太陽電池モジュールによって太陽光に応じた直流電力を発生させる。そして、このような太陽光発電システムでは、発生させた直流電力を集めて電力変換装置（インバータ）において交流電力に変換する。更にこのような太陽光発電システムでは、発電量の計測装置を介して、住宅用分電盤において、一般に使用されている交流の商用電源と連携して動作する。
【０００３】
特許文献１では、家庭での直流発電電力や交流消費電力の瞬時値および積算値をリアルタイムに且つ視覚的にモニタリングできる技術が開示されている。
【先行技術文献】
【特許文献】
【０００４】
【特許文献１】特開2000-314752号公報
【発明の概要】
【発明が解決しようとする課題】
【０００５】
特許文献１の技術では、例えば、急に雲がかかり太陽電池モジュールの発電量が急激に変化した場合、太陽電池モジュールから送られてくる発電量を表すデータが分電盤で計測している電力値と同期が取れない。これにより、計測装置は表示部に、実際には発電電力が減ったのにも関わらず、電力消費が多くなったと誤って表示する。逆に雲が晴れて太陽電池モジュールの発電量が急激に増加した場合、計測装置は、実際には発電電力が増えたのにも関わらず、電力消費が少なくなったと誤って表示部に表示する。他にも、何らかのシステム側の原因で発電量のデータを取得できない場合、実際には発電されているが、計測装置は表示部に発電量０と表示することがある。このような誤表示は、ユーザに、太陽光発電システムが故障したという勘違いを起こさせる。
【０００６】
本発明は、上記の問題点を解決するべくなされた。本発明は、発電量が急激に変化した場合や、短時間のシステムの不具合により、現在の発電量が分からない場合であっても、適切な発電量を表すデータを表示することができる計測装置等を提供することを主たる目的とする。
【課題を解決するための手段】
【０００７】
上記課題を解決するため、本発明の第１の観点は、太陽電池モジュールから受信する発電現在値を、発電現在値の積算値を用いて補正し、補正された発電現在値を出力する計測装置である。
【０００８】
本発明の第２の観点は、発電現在値および前記積算値を算出し、それら算出された値を計測装置に送信する電力変換装置と、上記に記載の計測装置とを備える、太陽光発電システムである。
【０００９】
本発明の第３の観点は、太陽電池モジュールから発電現在値を受信し、受信する発電現在値を、発電現在値の積算値を用いて補正し、補正された発電現在値を出力する太陽光発電計測方法である。
【００１０】
本発明の第４の観点は、太陽電池モジュールから発電現在値を受信する機能と、受信する発電現在値を、発電現在値の積算値を用いて補正する機能と、補正された発電現在値を外部へ送信する機能とをコンピュータに実現させる太陽光発電計測プログラムである。
【発明の効果】
【００１１】
本発明によれば、発電量が急激に変化した場合や、短時間のシステムの不具合により、現在の発電量が分からない場合であっても、適切な発電量を表すデータを表示することができる。
【図面の簡単な説明】
【００１２】
【図１】本発明の第一の実施形態に係る太陽光発電計測システムの構成を示す図である。
【図２】本発明の第一の実施形態に係る計測装置の構成を示す図である。
【図３】本発明の第一の実施形態に係る計測装置のデータ取得のタイミングを示す図である。
【図４】本発明の第一の実施形態に係る計測装置の動作を示す図である。
【図５】本発明の第一の実施形態に係る計測装置の変更例の構成を示す図である。
【図６】本発明の第二の実施形態に係る計測装置の構成を示す図である。
【発明を実施するための形態】
【００１３】
次に図面を参照して、本発明の実施形態を説明する。以下の図面の記載において、同一又は類似の部分には同一又は類似の符号を付している。ただし、図面は本発明の実施形態における構成を模式的に表している。更に以下に記載される本発明の実施形態は一例であり、その本質を同一とする範囲において適宜変更可能である。
＜第一の実施形態＞
（太陽光発電システム）
第一の実施形態に係る太陽光発電システム１００は、図１に示すように、表示装置１０１、計測装置１０２、分電盤１０３、太陽電池モジュール１０４および電力変換装置１０５を備える。
【００１４】
太陽電池モジュール１０４は、太陽光エネルギーを基に直流電力を発電する。
【００１５】
電力変換装置１０５は、太陽電池モジュール１０４（電力源）から流れてくる直流電力を、交流電力に変換するインバータ装置である。電力変換装置１０５は、太陽電池モジュール１０４から現在の所定期間（例えば３秒前から現在までの３秒間）において入力されている直流電力値を示すデータ（以下、この値を「発電現在値」と記載）を計測する。電力変換装置１０５は、発電現在値を所定期間（例えば3秒間）でサンプリングした単位時間当たりの平均電力値を表すデータ（以下これを「発電積算値（ＫＷｈ：キロワット時）」と記載する）を算出する。
【００１６】
分電盤１０３は、電力変換装置１０５より受信する発電電力と、電力会社から購入する買電力とを、電力消費する側（例えば家の中の各部屋）に分電する。分電は自家消費用と販売用等の目的に応じて行われる。分電盤１０３は、電力が不足する場合は、商用電力を購入し、電力が余剰する場合は、発電電力を販売する。
【００１７】
計測装置１０２は、電力変換装置１０５から太陽電池モジュール１０４の発電現在値と発電積算値を受信する。計測装置１０２は、受信した発電現在値が適切な値か否かの判断をおこない、適切な値ではないと判断した場合、発電積算値の平均値を用いて発電現在値を補正する。
【００１８】
更に計測装置１０２は、分電盤１０３から消費側（家内部屋等）ブレーカの電流値、電圧値（例えば１００Ｖ）、電力会社の電流値および電力変換装置の電流値等を受信する。計測装置１０２は、これらの受信値および発電現在値等から消費瞬間値および売買瞬間値を算出し、算出された値を表示装置１０１に送信する。
【００１９】
表示装置１０１は、計測装置１０２から受信する値を、発電現在値、発電積算値、消費瞬間値、売買瞬間値等の項目に分け、ユーザが判別（理解）容易な態様（数値やグラフ等）にて表示する。
（計測装置）
次に計測装置１０２について詳細に説明する。計測装置１０２は、図２に示すように、変換データ受信部２０１、データ補正部２０２、データ計算部２０３、分電データ受信部２０４、データ変換部２０５、データ送信部２０６およびデータ記憶部２０７を備える。
【００２０】
データ記憶部２０７は、電力変換装置１０５から取得した発電現在値および発電積算値の履歴を記憶する。
【００２１】
変換データ受信部２０１は、電力変換装置１０５から発電現在値および発電積算値を受信する。
【００２２】
データ補正部２０２は、新たに取得した発電現在値を補正する。データ補正部２０２は、データ記憶部２０７から取得する前回取得された発電現在値または発電積算値を基に、新たに取得した発電現在値を補正する。
【００２３】
分電データ受信部２０４は、分電盤１０３から、消費側ブレーカの電流値、電圧値（例えば１００Ｖ）、電力会社の電流値および電力変換装置の電流値等を示すデータを受信する。これらのデータは、例えば、商用電力系の電流波形データとして受信される。この場合、データ変換部２０５は、分電データ受信部２０４が受信した電流波形データを、数値データに変換する。
【００２４】
データ計算部２０３は、データ変換部２０５が変換した各数値、補正された発電現在値および発電積算値を基に、消費瞬間値および売買瞬間値を算出する。
【００２５】
データ送信部２０６は、データ計算部２０３で算出された消費瞬間値と売買瞬間値、更に補正された発電現在値および発電積算値を、表示装置１０１に送信する。
【００２６】
尚、上述した計測装置１０２内の各部は、ハードウェア回路で実現されてもよいし、プログラムで実現されてもよい。プログラムで実現される場合、計測装置１０２内の各部は機能ブロック単位のプログラムを表している。これらは実際には、図示しないコンピュータのＣＰＵ（Central Processing Unit）、図示しないＲＯＭ（Read Only Memory）や図示しないＲＡＭ(Random Access Memory)などに格納されている。図示しないＣＰＵがこれらのプログラムを適宜演算処理することでこれらの機能は実行される。
（電力データの計測タイミングの時間差）
次に、各電力データの計測タイミングについて説明する。一般的に、発電した電力が余り、余剰電力として売られている場合は「（発電量）＝（売電量）+（消費量）」となり、電力が不足して買っている場合は「（発電量）=（消費量）-（買電量）」となる。これは発電現在値、発電積算値、消費瞬間値、売買瞬間値を同時または略同時に測定した場合に成り立つ。しかし、実際には発電現在値、発電積算値、消費瞬間値、売買瞬間値の測定には時間差がある。
【００２７】
計測装置１０２の電力データの計測タイミングの時間差の例について、図３のフロー図を参照して説明する。図中、左側の下向き矢印は時間経過（ｔ）を示す。この説明において計測装置１０２は、一例として、３秒毎に計測処理を行うものとする。
【００２８】
電力変換装置１０５は、３秒毎に太陽電池モジュール１０４より発電現在値を取得し、計測装置１０２に送信する。電力変換装置１０５が出力する、当該発電現在値を表す発電量データは、時点ｄ１で計測装置１０２に送信される。次の発電量データ取得は「ｄ１＋３秒」後の時点ｄ２で行う。
【００２９】
分電盤１０３は、商用電力データ（売買電力、消費電力等）の計測値を一定間隔毎（例えば１秒毎）に計測装置１０２に送信する。１秒目のデータは時点ｂ１、2秒目のデータは時点ｂ２、３秒目のデータは時点ｂ３において送信される。これら３秒間のデータ毎に更に平均値を算出し、時点Ｂ１にて計測装置１０２に送信する。
【００３０】
計測装置１０２は、時点ｋ１で発電現在値、発電積算値、消費瞬間値および売買瞬間値を表示装置１０１に送信して、これらの値を表示させる。次の表示は「ｋ１＋３秒」後の時点ｋ２で行う。
【００３１】
この例のように、電力変換装置１０５から計測装置１０２へ、分電盤１０３から計測装置１０２へのデータ送信タイミングは異なっている。電力変換装置１０５から計測装置１０２へのデータ送信は、計測装置１０２から表示装置１０１へのデータ送信の回数と同じ回数行われる。各々のデータ送信タイミングは異なるが、送信間隔は共に３秒毎で同じである。しかしながら電力変換装置１０５から計測装置１０２へのデータ送信は、３秒毎に一度しか測定されないため、データの信頼性が低い。
【００３２】
これに対し、分電盤１０３から計測装置１０２へのデータ送信は図示しないマイクロコンピュータによって非常に細かい間隔で行われる。例えば、２５０秒毎に１００回データ送信し、この処理結果の４回分の平均値を１秒の平均とする。３秒ではこれが３回繰り返される。よって、分電盤１０３が計測する電力は、交流電流（５０Ｈｚ（ヘルツ）または６０Ｈｚ）で変動する毎秒の平均値を更に３秒毎に平均した値であるため、信頼の高いデータとなる。
【００３３】
計測装置１０２は、この電力変換装置１０５と分電盤１０３とからのデータ受信のタイミング差を考慮して、電力の計測を行う。
（計測装置の動作）
次に計測装置１０２の動作について図４のフローチャートを参照して説明する。
【００３４】
まずステップＳ１０１において、計測装置１０２の変換データ受信部２０１は、電力変換装置１０５から発電現在値および発電積算値のうち少なくとも片方を受信する。
【００３５】
ステップＳ１０２においてデータ補正部２０２は、受信したデータが発電現在値を含むか判断する。さらにステップＳ１０３において、データ補正部２０２は、受信したデータが発電積算値を含むかを判断する。発電現在値および発電積算値の両方を含む場合、ステップＳ１０４において、データ補正部２０２は、発電現在値をそのまま使用せず、発電積算値の所定時間（所定期間）の平均値を発電現在値として算出する。これは発電現在値をそのまま使用することで、短期間的に実態と異なるデータを表示することを防ぐためである。データ計算部２０３は、算出された発電現在値を用いて、表示装置１０１に表示するための消費瞬間値および売買瞬間値を計算する。
【００３６】
ステップＳ１０３において受信したデータに発電現在値のみが含まれている場合は、ステップＳ１０５において、発電現在値の補正を行う。これはデータ記憶部２０７に格納される前回取得した発電現在値と、今回取得した発電現在値が変化許容の基準の範囲内であるか（例えば前回取得値の上下２５％以内に収まるか）を判断する。係る基準から外れる場合は天候の急激な変化や何らかのデータ取得ミスがあったと判断できる。より具体的には、例えば基準として閾値を用いる場合、その閾値（例えば前回取得値の上下２５％以内）の範囲を満足するか、満足しないか（超えるか）を判断すればよい。そこで、データ補正部２０２は、データ記憶部２０７から前回取得した発電現在値を取り出して、データ計算部２０３に送信する。データ計算部２０３は、送信された値を用いて表示装置１０１に表示する消費瞬間値および売買瞬間値を計算する。
【００３７】
ステップＳ１０２において、受信したデータに発電現在値が含まれていない場合、ステップＳ１０６へ進む。ステップＳ１０６では受信したデータに発電積算値が含まれているか判断する。判断の結果、発電積算値が含まれている場合は、ステップＳ１０７へ進み、データ計算部２０３が、受信した発電積算値を用いてデータ計算部２０３が表示する消費瞬間値および売買瞬間値を計算する。
【００３８】
ステップＳ１０６において受信したデータに発電積算値が含まれていない場合、すなわち適切に計測された発電現在値と発電積算値がいずれも含まれていない場合、ステップＳ１０８において、何らかの測定ミスがあったと判断できる。そこで、データ記憶部２０７に格納される前回取得した発電現在値および発電積算値を用いて、データ計算部２０３が消費瞬間値および売買瞬間値を計算する。これにより測定結果が「無し」等となることを防ぐ。
【００３９】
最後にステップＳ１０９において、発電現在値、発電積算値、消費瞬間値並びに売買瞬間値の計算結果を表示装置１０１に送信し、結果データを表示するように促す。
【００４０】
このように本発明の第１の実施の形態によると、発電現在値を補正してから電力量を計算するので、急激な発電現在値の変化の直後であっても発電現在値と発電積算値の取得タイミングと、分電盤からの取得タイミングとの違いにより発生する電力量表示誤差を補正することができる。これにより、より適切な値をユーザに表示することができる。
＜変更例＞
第一の実施形態における太陽光発電システム１００の変更例を図５に示す。図５に示すように、分電盤１０３に対して他の発電設備モジュール１０６や蓄電設備モジュール１０７を接続可能に設置することも可能である。この場合も各々の装置からのデータ取得タイミングに差が発生し、同様に実態と異なる電力量が算出されることが考えられる。しかし、この場合においてもデータ補正部２０２で各々の瞬間値を平均化された値にすることで、実態に近い電力量をユーザに表示することが可能である。
＜第二の実施形態＞
図６に示す、太陽電池モジュールの発電を計測する計測装置１２は、太陽電池モジュールから受信する発電現在値を、その発電現在値の積算値を用いて補正し、補正された発電現在値を外部へ出力する。
【００４１】
本発明の第二の実施形態に係る計測装置１２は、発電現在値を、その発電現在値の積算値を用いて補正する。これにより発電量を表すデータの取得タイミングの違いにより発生する表示誤差を補正する。このような計測装置１２によれば、より適切な値をユーザに表示することができる。
【符号の説明】
【００４２】
１２      計測装置
１００      太陽光発電システム
１０１      表示装置
１０２      計測装置
１０３      分電盤
１０４      太陽電池モジュール
１０５      電力変換装置
１０６      発電装備モジュール
１０７      蓄電設備モジュール
２０１      変換データ受信部
２０２      データ補正受信部
２０３      データ計算部
２０４      分電データ受信部
２０５      データ変換部
２０６      データ送信部
【図１】
0006474983.tif 000002
【図２】
0006474983.tif 000003
【図３】
0006474983.tif 000004
【図４】
0006474983.tif 000005
【図５】
0006474983.tif 000006
【図６】
0006474983.tif 000007